(57)【要約】【課題】枚葉紙を搬送するベルトコンベヤのベルトの磨耗を減らす。【解決手段】被印刷体枚葉紙を処理する機械のベルトコンベヤは、被印刷体枚葉紙を搬送するベルト１１と、ベルト１１を案内するローラ８を含む。ベルト１１は複数の開口１２を有し、ローラ８は複数の開口１２に係合する複数のピン１０を有する。そして、リング１４，１５が、ピン１０に対して相対的に回転可能にローラ８上に支持されており、このリング１４，１５の上にベルト１１が載っている。ベルト１１は、ピン１０と開口１２の嵌合によってのみ駆動され、ローラ８によってベルト１１の内面とローラ８の円周面との間の摩擦係合によって駆動されるのではない。【選択図】図４
2006290624.tif 000002
【特許請求の範囲】
【請求項１】
複数の開口（１２）を有し、被印刷体枚葉紙（４）を搬送するベルト（１１）と、前記複数の開口（１２）に係合する複数のピン（１０）を有し、前記ベルト（１１）を案内するローラ（８）とを含むベルトコンベヤ（７）によって前記被印刷体枚葉紙（４）を搬送する方法において、
前記ベルト（１１）は、実質的に、前記ピン（１０）と前記開口（１２）の間の嵌合によってのみ駆動され、実質的に、前記ローラによって前記ベルト（１１）の内面（２２）と前記ローラ（８）の外周面（２４）との間の摩擦係合によって駆動されるのではない
ことを特徴とする、ベルトコンベヤによって被印刷体枚葉紙を搬送する方法。
【請求項２】
複数の開口（１２）を有し、被印刷体枚葉紙（４）を搬送するベルト（１１）と、前記複数の開口（１２）に係合する複数のピン（１０）を有するローラ（８）とを含む、特に請求項１に記載の方法を実施するための、被印刷体枚葉紙（４）を処理する機械（１）のベルトコンベヤ（７）において、
上に前記ベルト（１１）が載っている少なくとも１つのリング（１４）が、前記ピン（１０）に対して相対的に回転可能に前記ローラ（８）上に支持されていることを特徴とする、被印刷体枚葉紙を処理する機械のベルトコンベヤ。
【請求項３】
前記複数のピン（１０）は前記ローラ（８）の円周に沿って列（１７）をなして配置されており、前記列（１７）は、前記リング（１４）と、前記ピン（１０）に対して相対的に回転可能に支持され、かつ上に前記ベルト（１１）が載っている別のリング（１５）との間に配置されている、請求項２に記載のベルトコンベヤ。
【請求項４】
前記リング（１４）、または前記リング（１４）と前記別のリング（１５）の各々が、すべり軸受として構成されている、請求項２または３に記載のベルトコンベヤ。
【請求項５】
前記リング（１４）、または前記リング（１４）と前記別のリング（１５）の各々が、ころ軸受として構成されている、請求項２または３に記載のベルトコンベヤ。
【請求項６】
前記ローラ（８）は、前記各リング（１４，１５）ごとに、上に前記リング（１４，１５）が回転可能に装着された部分（１９，２０）が設けられている、請求項２から５までのいずれか１項に記載のベルトコンベヤ。
【請求項７】
請求項２から６のいずれか１項に記載のベルトコンベヤ（７）を備えている、被印刷体枚葉紙（４）を処理する機械（１）の枚葉紙排紙装置。
【請求項８】
請求項２から６のいずれか１項に記載のベルトコンベヤ（７）を備えている印刷機。
【発明の詳細な説明】
【技術分野】
【０００１】
本発明は、請求項１の前提項に記載された、複数の開口を有し、被印刷体枚葉紙を搬送するベルトと、複数の開口に係合する複数のピンを有し、ベルトを案内するローラとを含むベルトコンベヤによって被印刷体枚葉紙を搬送する方法に関する。さらに本発明は、請求項２の前提項に記載された、複数の開口を有し、被印刷体枚葉紙を搬送するベルトと、複数の開口に係合する複数のピンを有するローラとを含む、被印刷体枚葉紙を処理する機械のベルトコンベヤに関する。
【背景技術】
【０００２】
特許文献１にはベルトコンベヤが記載されている。このベルトコンベヤの場合、開口が金属環で固定されている。この金属環は、ピンが係合したときの開口の負荷を最小限に抑えるものである。その不都合なところは、一方では、金属環によってベルトの製造コストが高くなることであり、他方では、負荷のために金属環がベルトから外れることがあることである。この従来技術では、開口の負荷の原因はまだ認識されていない。
【特許文献１】ドイツ特許出願公開明細書第４０１７９３１号
【発明の開示】
【発明が解決しようとする課題】
【０００３】
そこで、本発明の目的は、枚葉紙を搬送する方法を提供するとともに、この方法を実施するのに適したベルトコンベヤを提供し、この方法およびベルトコンベヤによりベルトの磨耗をより効果的に減らすことである。
【課題を解決するための手段】
【０００４】
この目的は、請求項１の特徴を備えた方法、および請求項２の特徴を備えたベルトコンベヤによって達成される。
【０００５】
本発明は、複数の開口を有し、被印刷体枚葉紙を搬送するベルトと、複数の開口に係合する複数のピンを有し、ベルトを案内するローラとを含むベルトコンベヤによって被印刷体枚葉紙を搬送する方法において、ベルトは、実質的に、ピンと開口の間の嵌合によってのみ駆動され、実質的に、ローラによってベルトの内面とローラの円周面との間の摩擦係合によって駆動されるのではないことを特徴とする。
【０００６】
本発明は、複数の開口を有し、被印刷体枚葉紙を搬送するベルトと、複数の開口に係合する複数のピンを有するローラとを含む、被印刷体枚葉紙を処理する機械のベルトコンベヤにおいて、上にベルトが載っている少なくとも１つのリングが、ピンに対して相対的に回転可能にローラ上に支持されていることを特徴とする。本発明のベルトコンベヤは、本発明の方法を実施するのに適している。
【０００７】
本発明は、中立線（中立素分：neutral Faser）の半径方向の位置の変化によって生じることがある、ベルトの中立線の円周速度とローラの円周面の円周速度との間の速度差がベルトの磨耗の原因になるという認識が根底にある。中立線の半径方向の位置は、たとえばベルトに予め加わっている張力が経年劣化により弱くなるために変化することがある。中立線は、嵌合によってピンからベルトへ伝達されるトルクの有効半径を規定する。従来技術（特許文献１）のベルトでは、ローラの円周面が、この円周面上に載っているベルトの内面と摩擦係合によって一緒に作用し、その際にトルクをベルトに同様に伝達する時に、ローラの円周面も同様に、トルクの伝達に関する有効半径を規定する。これらの２つの有効半径は、大きさが互いに異なっているため、前述した速度差が生じる。
【０００８】
本発明では、ベルトの内面とローラの円周面の間に作用する摩擦係合が、この摩擦係合によってトルクがローラからベルトへもはや実質的に伝達できなくなるように打ち消されることによって、このような速度差、およびその結果として生じるベルトの磨耗が回避される。本発明のベルトコンベヤでは、ピンに対して相対的に行われるリングの回転運動によって速度差が補償される。リングと、内面がリングの円周面上に載っているベルトが接触している間は、これらの両方の面の間で実質的に滑りのない摩擦が生じており、すなわち実質的に静止摩擦が生じている。速度差を補償する回転滑りは、リングと、ローラの、リングを支持する構成部品との間に生じるか、またはリングの内部に生じる。リングがたとえば構成部品の上で摺動するすべり軸受として構成されている場合には、リングと構成部品の間に滑りが生じる。この構成部品は、たとえばローラの軸であってもよく、あるいはこの軸に装着された、ローラのスリーブ状の中空軸であってもよい。たとえば多数の部分で構成されるリングがころ軸受である場合には、リングの内部に滑りが生じる。
【０００９】
従属請求項には、本発明によるベルトコンベヤの有利な態様が記載されている。
【００１０】
１つの態様では、ピンはローラの円周に沿って列をなすように配置されており、列は、リングと、ピンに対して相対的に回転可能に支持され、かつ上にベルトが載っている別のリングとの間に配置されている。
【００１１】
別の態様では、最初に述べたリングはすべり軸受である唯一のリングとして構成され、または、最初に述べたリングと別のリングとがすべり軸受として構成されている。
【００１２】
別の態様では、最初に述べたリングはころ軸受である唯一のリングとして構成され、または、最初に述べたリングと別のリングとがころ軸受として構成されている。
【００１３】
別の態様では、ローラは、最初に述べたリングが唯一のリングとして、回転可能に上に載る部分を備えており、または、ローラは、最初に述べたリングが回転可能に上に載る部分と、別のリングが回転可能に上に載る別の部分とを備えている。
【００１４】
本発明またはその態様のうちの１つに対応して構成されたベルトコンベヤを備えている、被印刷体枚葉紙を処理する機械の枚葉紙排紙装置も本発明に属している。本発明またはその態様のいずれかに対応して構成されたベルトコンベヤを備えている印刷機も、同様に本発明に属している。
【発明を実施するための最良の形態】
【００１５】
次に、本発明の実施の形態について図面を参照して説明する。
【００１６】
図１から図７では、互いに対応する部材および構成部品に同じ符号が付されている。
【００１７】
図１は、被印刷体である枚葉紙４を処理する機械、特に印刷機１を示している。印刷機１は、平版オフセット印刷用の印刷ユニット２と、枚葉紙４を排紙する排紙装置３とを有している。排紙装置３は、枚葉紙４を搬送するチェーンコンベヤ５と、チェーンコンベヤ５の下方、かつ取り除かれた枚葉紙４から形成されている排紙パイル６よりも手前に配置されたベルトコンベヤ７とを含んでいる。ベルトコンベヤ７は枚葉紙制動装置であり、チェーンコンベヤ５から解放された枚葉紙４を減速させて、この枚葉紙４を排紙パイル６まで運ぶ。
【００１８】
図２は、ベルトコンベヤ７が、第１のローラ８と、第２のローラ９と、両ローラ８，９に巻かれた無端のベルト１１とを有している様子を示している。第１のローラ８はベルト１１の循環運動を駆動する駆動ローラであり、第２のローラ９は、ベルト１１によって駆動される、ベルト１１を方向転換させるガイドローラである。両ローラ８，９は同じ構造なので、現状の第１のローラ８の構造についての以下の説明は、比喩的な意味で第２のローラ９についても当てはまる。
【００１９】
第１のローラ８は、ベルト１１を駆動するためにベルト１１の複数の開口１２に係合する複数のピン１０を有している。複数のピン１０は、ピン１０同士の間に存在する一定の間隔が開口１２同士の間にある一定の間隔とまったく同じ大きさになると見込まれるように、第１のローラ８の円周方向に延びる列１７をなすように配置されている。開口１２は、枚葉紙４をベルト１１の外面２３に吸い付ける吸引開口である。ベルト１１の内面２２に当接し、開口１２に真空を作用させる吸気ボックスが、図面をより分かりやすくするために図示されていない。ベルトの中立線が符号２５で示され、第１のローラ８のローラ円周面が符号２４で示されている。
【００２０】
図３は、ピン１０が、第１のローラ８の中心部分を構成する軸１３に嵌め込まれている様子を示している。
【００２１】
それとは異なり、ピン１０と軸１３を、たとえば射出成形法で一体的に構成することもでき、その場合、ピン１０は軸１３に一体成形される。
【００２２】
図３に見られるとおり、列１７の左右には、第１の支持リング１４と第２の支持リング１５が軸１３に装着されている。両支持リング１４，１５はそれぞれころ軸受として構成されており、その内側の軸受リングは軸１３に回転不能に装着されており、ローラ円周面２４（図２参照）を形成する、その外側の軸受リングには、円周面上にベルト１１が載っている。ベルト１１はその内面２２が、第１のローラ８に関しては両支持リング１４，１５上にだけ載っており、第１のローラ８のそれ以外のどの部材の上にも載っていない。両軸受リング１４，１５の間に配置された円筒体、たとえば球またはニードルは、各支持リング１４または１５の内部でピン１０に対して相対的に生じる、幾何学上の軸２６を中心とした回転運動を可能にする。両支持リング１４，１５は、ピン１０および安全リング１６によって、軸１３に沿って行われる移動が生じないように軸方向に固定されている。
【００２３】
図４は、第１の部分１９と第２の部分２０とフランジ２１とを備えている軸１３の構成と、すべり軸受としての両支持リング１４，１５の構成の点のみで、図５に示す実施形態と区別される実施形態を示している。したがって、第１の部分１９上に第１の支持リング１４が回転可能に載っており、第２の部分２０上に第２の支持リング１５が回転可能に載っている。両方の部分１９，２０の間に配置されたフランジ２１から、ピン１０が突出している。ベルト１１はその内面２２が、ブシュ状の支持リング１４，１５の軸受外面上に載っているだけでなく、円周表面が軸受外面と同一平面上にあるフランジ２１上にも載っている。回転軸２６の方向に測ったときのフランジ２１の幅は、同じ方向に測ったときの両支持リング１４，１５を合わせた幅よりもはるかに短いので、フランジ２１の円周表面とベルト１１の内面２２との間に生じる摩擦係合は、ベルト１１に対する力の作用に関しては無視できるほど小さい。この摩擦係合が、実際に、中立線２５とローラ円周面２４の間に不都合な速度差を引き起こすことはあり得ない。
【００２４】
場合によってはフランジ２１の直径をほんの少しだけ小さくすることができ、その結果、軸受外面が、もはや半径方向においてフランジ２１と同一平面上で終わるのではなく、フランジ２１の上に少し突出して、ベルト１１の内面２２とフランジ２１がもはや全く接触しなくなる。
【００２５】
図５から図７は、軸１３が、中に別の軸１８が回転不能に収まっているスリーブ状の中空軸として構成されている点のみで図４の実施形態と区別される実施形態を示している。
【図面の簡単な説明】
【００２６】
【図１】枚葉紙制動装置としてのベルトコンベヤを備えている印刷機を示す図である。
【図２】ベルトコンベヤを、図１に比べて拡大して示す図である。
【図３】ベルトコンベヤの第１の実施形態を示す、図２の切断線III−IIIに沿う断面図である。
【図４】ベルトコンベヤの第２の実施形態を示す、図２の切断線IV−IVに沿う断面図である。
【図５】第２の実施形態の変形例を示す、半径方向に見た図である。
【図６】第２の実施形態の変形例を示す、軸方向に見た図である。
【図７】第２の実施形態の変形例を示す、図６の切断線VII−VII線に沿う断面図である。
【符号の説明】
【００２７】
１  印刷機
２  印刷ユニット
３  排紙装置
４  枚葉紙
５  チェーンコンベヤ
６  排紙パイル
７  ベルトコンベヤ
８  第１のローラ
９  第２のローラ
１０  ピン
１１  ベルト
１２  開口
１３  軸
１４  第１の支持リング
１５  第２の支持リング
１６  安全リング
１７  列
１８  別の軸
１９  第１の部分
２０  第２の部分
２１  フランジ
２２  内面
２３  外面
２４  ローラ円周面
２５  中立線
２６  回転軸
【図１】
2006290624.tif 000003
【図２】
2006290624.tif 000004
【図３】
2006290624.tif 000005
【図４】
2006290624.tif 000006
【図５】
2006290624.tif 000007
【図６】
2006290624.tif 000008
【図７】
2006290624.tif 000009